(57)【要約】【課題】  ケーブルテレビ局の独自の情報信号の付加があっても画面の明るさがフラッシングしないＡＧＣ回路およびその入力信号レベル制御方法を提供する。【解決手段】  映像信号処理部に入力された入力信号のシンクチップレベルとペデスタルレベル間の振幅を検出し、前記振幅が所定のしきい値に整合するように制御する。【選択図】  図１
2005295010.tif 000002
【特許請求の範囲】
【請求項１】
映像信号処理部に入力された入力信号のシンクチップレベルとペデスタルレベル間の振幅を検出し、前記振幅が所定のしきい値に整合するように制御することを特徴とするＡＧＣ回路。
【請求項２】
映像信号処理部に入力された入力信号のシンクチップレベルとペデスタルレベル間の振幅を検出し、前記振幅が所定のしきい値を超えたときに前記しきい値を超えた振幅が前記しきい値に納まるように制御することを特徴とするＡＧＣ回路。
【請求項３】
映像信号処理部に入力された入力信号のシンクチップレベルとペデスタルレベル間の振幅を検出し、現在からさかのぼる一定の時間幅における前記振幅の平均振幅を求め、さらに前記平均振幅に対する所定のしきい値の比率を求め、前記入力信号のシンクチップレベルとペデスタルレベル間の振幅に前記比率を乗じることを特徴とするＡＧＣ回路。
【請求項４】
映像信号処理部に入力された入力信号のビデオレベルとペデスタルレベル間の振幅を検出し、前記振幅が所定のしきい値に整合するように制御することを特徴とするＡＧＣ回路。
【請求項５】
映像信号処理部に入力された入力信号のビデオレベルとペデスタルレベル間の振幅を検出し、前記振幅が所定のしきい値を超えたときに前記しきい値を超えた振幅が前記しきい値に納まるように制御することを特徴とするＡＧＣ回路。
【請求項６】
映像信号処理部に入力された入力信号のビデオレベルとペデスタルレベル間の振幅を検出し、現在からさかのぼる一定の時間幅における前記振幅の平均振幅を求め、さらに前記平均振幅に対する所定のしきい値の比率を求め、前記入力信号のビデオレベルとペデスタルレベル間の振幅に前記比率を乗じることを特徴とするＡＧＣ回路。
【請求項７】
映像信号処理部に入力された入力信号のシンクチップレベルとペデスタルレベル間の振幅を検出し、前記振幅が所定のしきい値に整合するように制御し、前記シンクチップレベルとペデスタルレベル間の振幅について増減した比率を前記入力信号のビデオレベルとペデスタルレベル間の振幅に乗じることを特徴とするＡＧＣ回路。
【請求項８】
映像信号処理部に入力された入力信号のシンクチップレベルとペデスタルレベル間の振幅を検出し、前記振幅が所定のしきい値を超えたときに前記しきい値を超えた振幅が前記しきい値に納まるように制御し、前記シンクチップレベルとペデスタルレベル間の振幅について増減した比率を前記入力信号のビデオレベルとペデスタルレベル間の振幅に乗じることを特徴とするＡＧＣ回路。
【請求項９】
映像信号処理部に入力された入力信号のシンクチップレベルとペデスタルレベル間の振幅を検出し、現在からさかのぼる一定の時間幅における前記振幅の平均振幅を求め、さらに前記平均振幅に対する所定のしきい値の比率を求め、前記入力信号のシンクチップレベルとペデスタルレベル間の振幅およびビデオレベルとペデスタルレベル間の振幅に乗じることを特徴とするＡＧＣ回路。
【請求項１０】
映像信号処理部に入力された入力信号のビデオレベルとペデスタルレベル間の振幅を検出し、前記振幅が所定のしきい値に整合するように制御し、前記ビデオレベルとペデスタルレベル間の振幅について増減した比率を前記入力信号のシンクチップレベルとペデスタルレベル間の振幅に乗じることを特徴とするＡＧＣ回路。
【請求項１１】
映像信号処理部に入力された入力信号のビデオレベルとペデスタルレベル間の振幅を検出し、前記振幅が所定のしきい値を超えたときに前記しきい値を超えた振幅が前記しきい値に納まるように制御し、前記ビデオレベルとペデスタルレベル間の振幅について増減した比率を前記入力信号のシンクチップレベルとペデスタルレベル間の振幅に乗じることを特徴とするＡＧＣ回路。
【請求項１２】
映像信号処理部に入力された入力信号のビデオレベルとペデスタルレベル間の振幅を検出し、現在からさかのぼる一定の時間幅における前記振幅の平均振幅を求め、さらに前記平均振幅に対する所定のしきい値の比率を求め、前記入力信号のシンクチップレベルとペデスタルレベル間の振幅およびビデオレベルとペデスタルレベル間の振幅に乗じることを特徴とするＡＧＣ回路。
【請求項１３】
請求項１〜１２のいずれかに記載のＡＧＣ回路を備えたことを特徴とする映像処理装置および映像の録画再生装置ならびに映像の再生装置。
【請求項１４】
映像信号処理部に入力された入力信号のシンクチップレベルとペデスタルレベル間の振幅を検出する段階と、
前記振幅が所定のしきい値に整合するように制御する段階とを有することを特徴とするＡＧＣ回路の入力信号レベル制御方法。
【請求項１５】
映像信号処理部に入力された入力信号のビデオレベルとペデスタルレベル間の振幅を検出する段階と、
前記振幅が所定のしきい値に整合するように制御する段階とを有することを特徴とするＡＧＣ回路の入力信号レベル制御方法。
【請求項１６】
映像信号処理部に入力された入力信号のシンクチップレベルとペデスタルレベル間の振幅を検出する段階と、
前記振幅が所定のしきい値に整合するように制御する段階と、
前記シンクチップレベルとペデスタルレベル間の振幅について増減した比率を前記入力信号のビデオレベルとペデスタルレベル間の振幅に乗じる段階と、を有することを特徴とするＡＧＣ回路の入力信号レベル制御方法。
【請求項１７】
映像信号処理部に入力された入力信号のビデオレベルとペデスタルレベル間の振幅を検出する段階と、
前記振幅が所定のしきい値に整合するように制御する段階と、
前記ビデオレベルとペデスタルレベル間の振幅について増減した比率を前記入力信号のシンクチップレベルとペデスタルレベル間の振幅に乗じる段階と、を有することを特徴とするＡＧＣ回路の入力信号レベル制御方法。
【発明の詳細な説明】
【技術分野】
【０００１】
本発明は映像信号受信装置のＡＧＣ回路およびその入力信号のレベル制御の方法に関する。
【０００２】
特に、送受信される信号は、映像信号、文字放送信号（ＣＣＤ）、複製防止管理信号（ＣＧＭＳ）以外にも種々の情報を含む信号が送られることがあるが、本発明はそれらの信号による受信レベルの乱れおよびそれによる画面の明るさのフラッシングを防止するＡＧＣ回路およびその入力信号レベル制御方法に関する。
【背景技術】
【０００３】
一般に、映像信号の送受信においては、受信装置側に受信レベルを自動的に制御するＡＧＣ回路が設けられている。
【０００４】
従来のＡＧＣ回路は、受信レベルのピーク・ツウ・ピークの電圧を検出し、その電圧が１ボルトに近づくように自動的に制御している。
【０００５】
ＡＧＣ回路により、画面が暗すぎるとき（ピーク・ツウ・ピークの電圧が１ボルト未満のとき）は自動的に画面を明るく制御し、画面が明るすぎるとき（ピーク・ツウ・ピークの電圧が１ボルトを超えるとき）は自動的に画面を暗く制御し、常に適正な明るさ（ピーク・ツウ・ピークの電圧が約１ボルト）になるように制御されている。
【０００６】
ところで、映像信号を送受信する場合には、映像信号のほかに文字放送信号（ＣＣＤ）、複製防止管理信号（ＣＧＭＳ）を映像信号を乗せないライン（たとえば垂直帰線ライン）に含ませて送受信することが行われている。
【０００７】
映像信号や文字放送信号や複製防止管理信号は、規格により受信レベルのピーク・ツー・ピーク（peek to peek、すなわち最低レベルから最高レベル）の電圧が１ボルトとなるように定められている。
【０００８】
したがって、通常はＡＧＣ回路は問題なく受信レベルをピーク・ツウ・ピークで電圧１ボルトに制御することができる。
【特許文献１】特開平８−１３９５４０号公報
【特許文献２】特開２００３−３２５４３号公報
【発明の開示】
【発明が解決しようとする課題】
【０００９】
しかし、ケーブルテレビ（ＣＡＴＶ）では、画面を構成するライン（１〜５２５ライン）の第２０，２１ライン等に文字放送信号（ＣＣＤ）、複製防止管理信号（ＣＧＭＳ）以外の、各ケーブルテレビ局独自の情報を信号にして送受信することがある。
【００１０】
このようなケーブルテレビ局の独自の情報信号は、受信レベルの負側、すなわちペデスタルレベル（基準レベル）からシンクチップレベル（負側の最大レベル）までの振幅、あるいは受信レベルの正側、すなわちペデスタルレベル（基準レベル）からビデオレベル（正側の最大のレベル）までの振幅（正側の振幅）に付加され、受信レベルの正側または負側の振幅が規格より突出して大きくなることがある。
【００１１】
この場合に、従来のＡＧＣ回路は、受信レベルのピーク・ツウ・ピークの電圧が１ボルトとなるように制御するようになっているために、ケーブルテレビ局の独自の情報信号を受信した時はケーブルテレビ局の独自の情報信号の最大レベルを含めてピーク・ツウ・ピークの電圧が１ボルトとなるように受信レベルを減縮させる。しかし、ケーブルテレビ局の独自の情報信号を含まない通常の映像信号帯域では、もともとピーク・ツウ・ピークの電圧が１ボルトに調整されているため、減縮の結果受信レベルが過小となる。そこで、通常の映像信号の受信時には、映像信号のピーク・ツウ・ピークの電圧が１ボルトとなるように受信レベルを再び増加させる。
【００１２】
これにより、従来のＡＧＣ回路によると、ケーブルテレビ局の独自の情報信号の付加により、自動的に受信レベルの減縮および増加が繰り返され、画面の明るさがフラッシングする問題があった。
【００１３】
そこで、本発明が解決しようとする課題は、ケーブルテレビ局の独自の情報信号の付加があっても画面の明るさがフラッシングしないＡＧＣ回路およびその入力信号レベル制御方法を提供することにある。
【課題を解決するための手段】
【００１４】
ＡＧＣ回路は、映像信号処理部に入力された入力信号のシンクチップレベルとペデスタルレベル間の振幅を検出し、前記振幅が所定のしきい値に整合するように制御することを特徴とするものである。
【００１５】
また、本発明によるＡＧＣ回路は、映像信号処理部に入力された入力信号のシンクチップレベルとペデスタルレベル間の振幅を検出し、前記振幅が所定のしきい値を超えたときに前記しきい値を超えた振幅が前記しきい値に納まるように制御することを特徴とするものである。
【００１６】
また、本発明によるＡＧＣ回路は、映像信号処理部に入力された入力信号のシンクチップレベルとペデスタルレベル間の振幅を検出し、現在からさかのぼる一定の時間幅における前記振幅の平均振幅を求め、さらに前記平均振幅に対する所定のしきい値の比率を求め、前記入力信号のシンクチップレベルとペデスタルレベル間の振幅に前記比率を乗じることを特徴とするものである。
【００１７】
また、本発明によるＡＧＣ回路は、映像信号処理部に入力された入力信号のビデオレベルとペデスタルレベル間の振幅を検出し、前記振幅が所定のしきい値に整合するように制御することを特徴とするものである。
【００１８】
また、本発明によるＡＧＣ回路は、映像信号処理部に入力された入力信号のビデオレベルとペデスタルレベル間の振幅を検出し、前記振幅が所定のしきい値を超えたときに前記しきい値を超えた振幅が前記しきい値に納まるように制御することを特徴とするものである。
【００１９】
また、本発明によるＡＧＣ回路は、映像信号処理部に入力された入力信号のビデオレベルとペデスタルレベル間の振幅を検出し、現在からさかのぼる一定の時間幅における前記振幅の平均振幅を求め、さらに前記平均振幅に対する所定のしきい値の比率を求め、前記入力信号のビデオレベルとペデスタルレベル間の振幅に前記比率を乗じることを特徴とするものである。
【００２０】
また、本発明によるＡＧＣ回路は、映像信号処理部に入力された入力信号のシンクチップレベルとペデスタルレベル間の振幅を検出し、前記振幅が所定のしきい値に整合するように制御し、前記シンクチップレベルとペデスタルレベル間の振幅について増減した比率を前記入力信号のビデオレベルとペデスタルレベル間の振幅に乗じることを特徴とするものである。
【００２１】
また、本発明によるＡＧＣ回路は、映像信号処理部に入力された入力信号のシンクチップレベルとペデスタルレベル間の振幅を検出し、前記振幅が所定のしきい値を超えたときに前記しきい値を超えた振幅が前記しきい値に納まるように制御し、前記シンクチップレベルとペデスタルレベル間の振幅について増減した比率を前記入力信号のビデオレベルとペデスタルレベル間の振幅に乗じることを特徴とするものである。
【００２２】
また、本発明によるＡＧＣ回路は、映像信号処理部に入力された入力信号のシンクチップレベルとペデスタルレベル間の振幅を検出し、現在からさかのぼる一定の時間幅における前記振幅の平均振幅を求め、さらに前記平均振幅に対する所定のしきい値の比率を求め、前記入力信号のシンクチップレベルとペデスタルレベル間の振幅およびビデオレベルとペデスタルレベル間の振幅に乗じることを特徴とするものである。
【００２３】
また、本発明によるＡＧＣ回路は、映像信号処理部に入力された入力信号のビデオレベルとペデスタルレベル間の振幅を検出し、前記振幅が所定のしきい値に整合するように制御し、前記ビデオレベルとペデスタルレベル間の振幅について増減した比率を前記入力信号のシンクチップレベルとペデスタルレベル間の振幅に乗じることを特徴とするものである。
【００２４】
また、本発明によるＡＧＣ回路は、映像信号処理部に入力された入力信号のビデオレベルとペデスタルレベル間の振幅を検出し、前記振幅が所定のしきい値を超えたときに前記しきい値を超えた振幅が前記しきい値に納まるように制御し、前記ビデオレベルとペデスタルレベル間の振幅について増減した比率を前記入力信号のシンクチップレベルとペデスタルレベル間の振幅に乗じることを特徴とするものである。
【００２５】
本発明によるＡＧＣ回路は、映像信号処理部に入力された入力信号のビデオレベルとペデスタルレベル間の振幅を検出し、現在からさかのぼる一定の時間幅における前記振幅の平均振幅を求め、さらに前記平均振幅に対する所定のしきい値の比率を求め、前記入力信号のシンクチップレベルとペデスタルレベル間の振幅およびビデオレベルとペデスタルレベル間の振幅に乗じることを特徴とするものである。
【００２６】
本発明による映像処理装置および映像の録画再生装置ならびに映像の再生装置は、上記ＡＧＣ回路を備えたことを特徴とするものである。
【００２７】
本発明によるＡＧＣ回路の入力信号レベル制御方法は、映像信号処理部に入力された入力信号のシンクチップレベルとペデスタルレベル間の振幅を検出する段階と、前記振幅が所定のしきい値に整合するように制御する段階とを有することを特徴とするものである。
【００２８】
本発明によるＡＧＣ回路の入力信号レベル制御方法は、映像信号処理部に入力された入力信号のビデオレベルとペデスタルレベル間の振幅を検出する段階と、前記振幅が所定のしきい値に整合するように制御する段階とを有することを特徴とするものである。
【００２９】
本発明によるＡＧＣ回路の入力信号レベル制御方法は、映像信号処理部に入力された入力信号のシンクチップレベルとペデスタルレベル間の振幅を検出する段階と、前記振幅が所定のしきい値に整合するように制御する段階と、前記シンクチップレベルとペデスタルレベル間の振幅について増減した比率を前記入力信号のビデオレベルとペデスタルレベル間の振幅に乗じる段階と、を有することを特徴とするものである。
【００３０】
本発明によるＡＧＣ回路の入力信号レベル制御方法は、映像信号処理部に入力された入力信号のビデオレベルとペデスタルレベル間の振幅を検出する段階と、前記振幅が所定のしきい値に整合するように制御する段階と、前記ビデオレベルとペデスタルレベル間の振幅について増減した比率を前記入力信号のシンクチップレベルとペデスタルレベル間の振幅に乗じる段階と、を有することを特徴とするものである。
【発明の効果】
【００３１】
本発明によれば、受信レベルの正側の受信レベルのみに基づいて制御し、あるいは受信レベルの負側の受信レベルのみに基づいて制御することができる。
【００３２】
これにより、ケーブルテレビ局によって付加された情報信号に影響されない側の受信レベルを監視し、これに基づいて受信レベルの制御を行うことができるので、映像信号自体の受信レベルを把握し、ケーブルテレビ局の付加信号によって映像信号の受信レベルをを無用に減縮あるいは増加させることなく、画面のフラッシングを防止することができる。
【発明を実施するための最良の形態】
【００３３】
以下に本発明の実施の形態について説明する。
【００３４】
本発明はＡＧＣ回路およびその入力信号レベルの制御方法に関するが、最初にＡＧＣ回路を含む映像処理装置（表示装置に表示するために画像データに対して表示装置に適合するように、あるいは画像データに視覚上の効果を与える処理を行う装置、ＤＶＤ／ビデオの録画再生／再生装置を含む）の構成を示す。
【００３５】
図１は本発明によるＡＧＣ回路１を含む映像処理装置の全体を示している。
【００３６】
入力信号の流れに沿って説明すると、入力信号はアンテナ２からチューナー３に入り、チューナー３によって選局された後にビデオデコーダ４に送られ、ビデオデコーダ４においてアナログ信号からデジタル信号に変換され、変換されたデジタル信号はビデオエンコーダ５に送られ、ビデオエンコーダ５により再びアナログ信号に変換された後にモニター６に送られ、モニター６によって表示部上に画像として生成される。
【００３７】
ビデオデコーダ４には、映像信号処理部７とＡＧＣ回路１が内蔵されている。
【００３８】
ＡＧＣ回路１は映像信号処理部７に入力された入力信号の受信レベルを自動的に制御するように構成されている。
【００３９】
つぎに本発明で制御する対象の入力信号の用語について概略説明する。
【００４０】
図２は、入力信号の波形を示している。
【００４１】
図２において横軸は時間軸を示し、縦軸は入力信号の振幅を示している。一般に映像の画像を形成する入力信号は多数のラインからなり、図２は文字放送信号等を送受信する２１ラインと映像信号を送受信する２２ライン以降の入力信号を例示している。
【００４２】
図２には、２１ラインに複数の離散的な文字放送信号の波形８と、２２ライン以降のラインに連続的な映像信号の波形９と、各ラインを分離するシンクチップ１０とが示されている。
【００４３】
図２に示すように、入力信号には受信レベルの基準となるペデスタルレベル１１と、前記ペデスタルレベル１１の正側の振幅の最大値となるビデオレベル１２と、前記ペデスタルレベル１１の負側の最大値となるシンクチップレベル１３が存在する。
【００４４】
本発明で問題となるケーブルテレビ局によって付加される情報信号は、２１ラインの波形１４に例示されるように、文字放送信号の波形８に付加される。
【００４５】
本発明によるＡＧＣ回路およびその入力信号レベル制御方法は、前記ケーブルテレビ局によって付加される情報信号１４に影響されない側の、図２の例でいえばペデスタルレベル１１に関して負側のレベルを監視し、負側のレベルが所定のしきい値を越える場合にのみ入力信号のレベル制御を行うことを特徴としている。
【００４６】
レベル監視の方法としてペデスタルレベル１１に関して負側のレベルを監視する方法と、正側のレベルを監視する方法とがある。
【００４７】
また、レベルの制御に関しては監視をしている負側のレベルのみを制御する方法と、正側のレベルのみを制御する方法と、正側と負側の双方のレベルを制御する方法とがある。
【００４８】
最初に、負側のレベルを監視し負側のレベルのみを制御する方法について説明する。
【００４９】
図３は、上記負側のレベルを監視し負側のレベルのみを制御する方法の処理の流れを示している。
【００５０】
この処理では、図３に示すように、映像信号処理部７に入力された入力信号のシンクチップレベルとペデスタルレベル間の振幅を検出する（ステップ１００）。次に、検出されたシンクチップレベルとペデスタルレベル間の振幅を所定のしきい値と比較し（ステップ１１０）、検出されたシンクチップレベルとペデスタルレベル間の振幅を所定のしきい値と整合するように所定の比率を乗じる制御を行う（ステップ１２０）。
【００５１】
ここで、本発明の作用について図４を用いて概略説明する。
【００５２】
図４（ａ）は本発明による制御を示し、図４（ｂ）は従来の方法による制御を示している。
【００５３】
従来のＡＧＣ回路による入力信号レベル制御方法は、入力信号レベルのピーク・ツー・ピーク(peek to peek)のレベルが所定の値、たとえば電圧にして１ボルトとなるように制御する。
【００５４】
このため、図４（ｂ）に示すように、たとえばシンクチップレベルが０．３ボルト、付加情報信号のレベルが電圧にして１．２ボルトである場合には、ピーク・ツー・ピークで電圧１ボルトとなるように、正側と負側の双方のレベルを減縮させる（正側の入力信号レベルも負側の入力信号レベルも共に２／３に減縮する制御を行う）。
【００５５】
この減縮は、図４（ｂ）の右側の波形に示すように後続の映像信号のレベルをも減縮させ、このため、映像信号においては、もともとピーク・ツー・ピークで電圧１ボルトとなるように設定されていたものが、ピーク・ツー・ピークで１ボルト未満となり、一定時間経過後にＡＧＣ回路により映像信号が再び増幅される現象を生じるのである。
【００５６】
これに対して、本発明による制御はケーブルテレビ局の付加情報信号に影響されない負側のレベルを監視するので、図４（ａ）に示すように、シンクチップレベルが０．３ボルトである以上、たとえ正側のビデオレベルが１．２ボルトであっても、入力信号レベルを減縮する制御を行わない。この結果、ケーブルテレビ局の付加情報信号のレベルが１ボルトを超えても映像信号のレベルに対して減縮する制御を行わず、その後に生じる画面のフラッシング現象を防止することができる。
【００５７】
なお、映像信号で受信レベルがピーク・ツー・ピークで１ボルトを超えるものは、シンクチップレベルも所定のしきい値を超えることが多く、上記本発明のＡＧＣ回路の制御によれば、それらを検知して適正な受信レベルとなるように制御することができる。
【００５８】
なお、図３の制御は、シンクチップレベルとペデスタルレベル間の振幅を所定のしきい値と「整合するように」所定の比率を乗じるので、過大のときは減縮させ、過小のときは増加させるように制御する。
【００５９】
これに対して、図５はその変形例の制御方法を示している。図５の処理はステップ１２５が図３のステップ１２０と異なるほかは図３の処理と同一である。
【００６０】
この制御においては、シンクチップレベルとペデスタルレベル間の振幅を所定のしきい値と比較し、「所定のしきい値を越える振幅のみ」を前記しきい値に整合させる。
【００６１】
すなわち、しきい値を超える振幅のみを減縮させ、しきい値に達しない振幅は特に増加させないように制御するのである。
【００６２】
次に、入力信号レベルの変化に対して、緩やかに制御を行う方法について図６を用いて説明する。
【００６３】
この制御方法においては、図６に示すように最初に映像信号処理部に入力された入力信号のシンクチップレベルとペデスタルレベル間の振幅を検出する（ステップ１５０）。次に、検出時点現在からさかのぼる一定の時間幅における振幅の平均振幅を求める（ステップ１６０）。次に、前記平均振幅に対する所定のしきい値の比率を求め（ステップ１７０）、入力信号のシンクチップレベルとペデスタルレベル間の振幅に前記比率を乗じるのである（ステップ１８０）。
【００６４】
図７は、上記平均振幅の求め方および制御方法について概念的に示している。なお、図７はビデオレベル（正側）を用いて示しているが、シンクチップレベル（負側）についても同様である。
【００６５】
図７に示すように、入力信号１５のレベルは短い時間の経過と共に素早く変化する。これに対して、本発明では入力信号を検出した時点からさかのぼる一定時間幅における平均振幅１６（振幅の平均値）を求める。すなわち時間に対する入力信号レベルの積分を行い、前記一定時間幅で除して平均振幅１６を求める。
【００６６】
これにより、その一定時間幅の間の入力信号レベルの振幅が平均化され、細かい変化がならされ、大きな入力信号レベルの変化の波形１７が得られる。
【００６７】
この制御方法においては波形１７の振幅と所定のしきい値１８とが比較され、波形１７に対するしきい値１８の比率が求められ、波形１７の振幅を前記しきい値１８に近づけるように前記比率を乗じるのである。
【００６８】
以上は負側のレベルを監視し負側のレベルのみを制御する方法であったが、正側のレベルを監視し正側のレベルのみを制御する方法も同様である。
【００６９】
念の為に、正側のレベルを監視し正側のレベルのみを制御する方法の処理フローを図８〜図１０に示す。
【００７０】
図８は、入力信号のビデオレベルとペデスタルレベル間の振幅を検出し、前記振幅を所定のしきい値と比較し、前記振幅を前記しきい値と整合するように所定の比率を乗じる制御の流れを示している。
【００７１】
図９は、図８が入力信号のレベルを常にしきい値に整合させる制御であるのに対して、入力信号のレベルがしきい値を超えた場合にのみ制御を行うものを示している。
【００７２】
図１０は、入力信号のビデオレベルとペデスタルレベル間の振幅の平均振幅を求めて所定のしきい値に整合させる制御を示している。
【００７３】
以上は正側あるいは負側の入力信号レベルが所定のしきい値を超えた場合に、監視している側の入力信号レベルのみを制御する方法であったが、監視している側の入力信号レベルばかりでなく、正側および負側双方の入力信号レベルを制御することもできる。
【００７４】
以下にその制御方法について説明する。
【００７５】
図１１は、シンクチップレベルとペデスタルレベル間の振幅を検出し、前記振幅が所定のしきい値を超える場合に、シンクチップレベルとペデスタルレベル間の振幅およびビデオレベルとペデスタルレベル間の振幅を制御する方法示している。
【００７６】
この制御方法は、図１１に示すように、映像信号処理部に入力された入力信号のシンクチップレベルとペデスタルレベル間の振幅を検出し（ステップ２００）、検出した振幅を所定のしきい値と比較する（ステップ２１０）。次に、検出されたシンクチップレベルとペデスタルレベル間の振幅（負側の振幅）に所定の比率を乗じて前記しきい値に整合させると共に（ステップ２２０）、入力信号のビデオレベルとペデスタルレベル間の振幅（正側の振幅）に前記比率を乗じる（ステップ２３０）。
【００７７】
図１２は、上記制御方法を説明的に示した図である。
【００７８】
図１２（ａ）は本制御方法による制御を示している。これに対して、図１２（ｂ）は比較のため従来の制御方法による制御を示したものである。
【００７９】
図１２（ａ）に示すように、本発明の制御方法はＡＧＣ回路がシンクチップレベルを監視し、それがしきい値０．３ボルトを超えた場合に０．３ボルトに整合させる制御を行っている。
【００８０】
図１２（ａ）の例のようにシンクチップレベルが０．３５ボルトであった場合には、ＡＧＣ回路はシンクチップレベルを０．３ボルトに修正する（比率０．３／０．３５を乗じる）とともに、ビデオレベル１．２ボルトにシンクチップレベルに乗じた比率（０．３／０．３５）を乗じて１．０２ボルトとなるように制御する。
【００８１】
なお、従来のＡＧＣ回路による制御方法では、ピーク・ツー・ピークの電圧を１ボルトに制御するので、図１２（ｂ）に示すように図１２（ａ）と同一の入力信号レベル（シンクチップレベル０．３５ボルト、ビデオレベル１．２ボルト）を検知した場合に、シンクチップレベルについては０．２３ボルト、ビデオレベルについては０．７７ボルトに制御する。このように本発明による制御方法と従来の制御方法による制御結果が異なることは明らかである。
【００８２】
本発明によれば、映像信号に対するレベル制御が緩やかであり、著しいフラッシングを防止することができる。また、映像信号でピーク・ツー・ピークの電圧が１ボルトを超えるものについては、負側のレベルのみならず正側のレベルもある程度制御することができるようになる。
【００８３】
図１３は、図１２による制御に対して緩やかな制御を行う方法を示している。
【００８４】
図１３に示すように、この制御方法によれば、映像信号処理部に入力された入力信号のシンクチップレベルとペデスタルレベル間の振幅を検出し（ステップ２５０）、検出時点現在からさかのぼる一定の時間幅における振幅の平均振幅を求める（ステップ２６０）。つぎに、前記平均振幅に対する所定のしきい値の比率を求め（ステップ２７０）、入力信号のシンクチップレベルとペデスタルレベル間の振幅に前記比率を乗じると共に（ステップ２８０）、ビデオレベルとペデスタルレベル間の振幅に同一の比率を乗じる（ステップ２９０）。
【００８５】
上記方法は前述した図６、図７、図１０と同様のものである。
【００８６】
上記図１１〜図１３までの方法は、シンクチップレベルとペデスタルレベル間の振幅を監視するものであったが、入力信号のビデオレベルとペデスタルレベル間の振幅を監視する場合も同様である。
【００８７】
念の為に、図１４および図１５にビデオレベルとペデスタルレベル間の振幅を監視し、同振幅に所定の比率をかけて制御した場合にシンクチップレベルとペデスタルレベル間の振幅にも同一の比率をかけて制御する方法の処理の流れを示す。
【００８８】
図１４に対して図１５は、制御を緩やかにするために平均振幅を求めて制御する方法を示している。
【００８９】
なお、上記ＡＧＣ回路およびその制御方法は、映像処理装置（映像に視覚的効果を与える処理をする装置、表示装置に適合する処理を行う装置）に限られず、映像の録画再生装置、映像再生装置（ＤＶＤ，ビデオ，ＣＤ，ハードディスク等記憶媒体に限定されず映像データの録画再生、再生装置、テレビを含む）についても同様である。
【図面の簡単な説明】
【００９０】
【図１】本発明のＡＧＣ回路を含む映像処理装置の全体構成を例示する図。
【図２】本発明の制御対象である入力信号を説明した図。
【図３】本発明の一実施形態による入力信号レベル制御方法のフローチャート。
【図４】本発明の一実施形態による入力信号レベル制御方法と従来の制御方法とを比較した図。
【図５】本発明の一実施形態による入力信号レベル制御方法のフローチャート。
【図６】本発明の一実施形態による入力信号レベル制御方法のフローチャート。
【図７】図６の制御方法を説明した図。
【図８】本発明の一実施形態による入力信号レベル制御方法のフローチャート。
【図９】本発明の一実施形態による入力信号レベル制御方法のフローチャート。
【図１０】本発明の一実施形態による入力信号レベル制御方法のフローチャート。
【図１１】本発明の一実施形態による入力信号レベル制御方法のフローチャート。
【図１２】図１１による制御方法と従来の制御方法とを比較して示した図。
【図１３】本発明の一実施形態による入力信号レベル制御方法のフローチャート。
【図１４】本発明の一実施形態による入力信号レベル制御方法のフローチャート。
【図１５】本発明の一実施形態による入力信号レベル制御方法のフローチャート。
【符号の説明】
【００９１】
１  ＡＧＣ回路
２  アンテナ
３  チューナー
４  ビデオデコーダー
５  ビデオエンコーダー
６  モニター
７  映像信号処理部
８  文字放送信号の波形
９  映像信号の波形
１０  シンクチップ
１１  ペデスタルレベル
１２  ビデオレベル
１３  シンクチップレベル
１４  付加情報信号
１５  入力信号
１６  平均振幅
１７  波形
１８  しきい値
【図１】
2005295010.tif 000003
【図２】
2005295010.tif 000004
【図３】
2005295010.tif 000005
【図４】
2005295010.tif 000006
【図５】
2005295010.tif 000007
【図６】
2005295010.tif 000008
【図７】
2005295010.tif 000009
【図８】
2005295010.tif 000010
【図９】
2005295010.tif 000011
【図１０】
2005295010.tif 000012
【図１１】
2005295010.tif 000013
【図１２】
2005295010.tif 000014
【図１３】
2005295010.tif 000015
【図１４】
2005295010.tif 000016
【図１５】
2005295010.tif 000017